(57)【要約】【課題】扉であるボードの開閉に伴う操作が安定して行える棚上開口の開閉扉を支持する左右一対の支柱体を提供すること。【解決手段】棚上の空間の前方開口を開閉するボード状の扉を支持するものであって、両側面には互いに対称形状の一対の係止溝２３Ａが形成された固定側支柱部２と、後方上部には該係止溝に遊嵌する互いに向かい合う一対の係止突起を有し、前部にはボード状の扉を係止する係止部３２ａ、３２ｂを有する、固定側支柱部２に係止し可動する可動支持部３を有する左右一対の支柱体１０、１０であり、係止溝２３Ａは、上下方向に延びる長縦溝部と、該長縦溝部の上端と連続し後方に少し延びる繋ぎ溝部と、該繋ぎ溝部の後方端と連続し上下方向に延びる短縦溝部を有する異形溝である。【選択図】図４
2020018616.tif 000002
【特許請求の範囲】
【請求項１】
棚上の空間の前方開口を開閉するボード状の扉を支持するものであって、
下端が設置部に固定される、両側面には互いに対称形状の一対の係止溝又は係止貫通孔が形成された固定側支柱部と、
後方上部には該係止溝又は係止貫通孔に遊嵌する互いに向かい合う一対の係止突起を有し、前部にはボード状の扉を係止する係止部を有する、該固定側支柱部に係止し可動する可動支持部を有する左右一対の支柱体であり、
該固定側支柱部の係止溝又は係止貫通孔は、上下方向に延びる長縦部と、該長縦部の上端と連続し後方に少し延びる繋ぎ部と、該繋ぎ部の後方端と連続し上下方向に延びる短縦部を有する異形溝又は異形孔であって、
該係止突起は、該長縦部の下端から該繋ぎ部を経由して該短縦部の下端まで、往復移動自在であることを特徴とする支柱体。
【請求項２】
該短縦部の下端と連続し後方に延びる短横部を更に有し、該係止突起は、該長縦部の下端から該繋ぎ部を経由して該短横部の後端まで、往復移動自在であることを特徴とする請求項１記載の支柱体。
【請求項３】
該可動支持部は、上部左右側板を有し、該係止突起は、該上部左右側板の内側面に付設されることを特徴とする請求項１又は２記載の支柱体。
【請求項４】
該可動支持部は、該上部左右側板と連続する左右側板と、前側板を有する裏面が開口の中尺の角状ケースであることを特徴とする請求項１〜３のいずれか１項に記載の支柱体。
【請求項５】
該固定側支柱部の上端には、上方に延びる小突起を有することを特徴とする請求項２〜４のいずれか１項に記載の支柱体。
【請求項６】
該短横部は、後方に向けてやや下り傾斜の係止溝又は係止貫通孔であることを特徴とする請求項２〜５のいずれか１項に記載の支柱体。
【請求項７】
該繋ぎ部は、上方に突のアール状であることを特徴とする請求項１〜６のいずれか１項に記載の支柱体。
【請求項８】
該係止突起が、該短縦部の下端に係止することで、該可動支持部は、該固定側支柱部の前方に位置し、略鉛直に支持され、ボード状の扉が棚上の空間の前方開口を閉じることを特徴とする請求項１〜７のいずれか１項に記載の支柱体。
【請求項９】
該係止突起が、該長縦部の下端に係止することで、該可動支持部は、下方の棚側に垂れ下がり、ボード状の扉が棚上の空間の前方開口を開くことを特徴とする請求項１〜８のいずれか１項に記載の支柱体。
【請求項１０】
該係止突起が、該短横部の後端に係止し、該可動支持部の前側板の裏面と該小突起が当接することで、該可動支持部は、略水平姿勢となり、ボード状の扉が棚上の空間の前方開口を開くことを特徴とする請求項５〜９のいずれか１項に記載の支柱体。
【請求項１１】
該ボード状の扉は、商品情報が表示されたものであることを特徴とする請求項１〜１０のいずれか１項に記載の支柱体。
【発明の詳細な説明】
【技術分野】
【０００１】
本発明は、商品を陳列する多段陳列棚の棚上の前面開口を開閉する開閉扉（ボード）を安定に支持し、且つ円滑に開閉できる支柱体に関するものである。
【背景技術】
【０００２】
量販店、薬や日常雑貨の専門店などにおいては、商品の陳列は、主に壁面の前に設置された多段陳列棚が使用されている。多段陳列棚は、一般的には、４本の支柱と、上下多段に設置された棚板とで構成され、多量の商品が陳列できる。このような多段陳列棚は、最上の棚板（天板）と天井間には、空間ができるため、その空間は、補充商品のストック場所となっている。このため、多段陳列棚の棚上の前面開口を開閉するボードを設置し、通常販売時には、ストック品を目隠しする。
【０００３】
特開２０００−１４０４９０公報には、３６０度回転するストッパー付滑車（２）の付いた長方形の基盤（１）の上部に、低い布団掛け部（３）と高い布団掛け部（４）を段違いに平行に設け、低い布団掛け部と高い布団掛け部とを継ぎ部（５）で繋ぎ、前記布団掛け部に布団を掛ける布団掛け収納具において、上部に上開き扉付き棚（７）を設け、前面以外を側周板（８）で囲い、前面部にカーテン（９）を設けた布団掛け収納具が開示されている。なお、特開２０００−１４０４９０公報には、上開き扉付き棚（７）の詳細な構造は開示されていないものの、当該公報の図１によれば、扉の前方の摘みを手前に引くことで、扉を上開きすることができる。
【０００４】
一方、図２１のような棚上開口開閉扉を支持する一対の支柱体１００が知られている。支柱体１００は、多段棚板装置の天板１０１の上方で且つ前端に付設されるものであり、天板係止部１０４と、前方の起立部１０５と、起立部１０５の上端から屈曲して後方に延びる水平部１０６と、水平部１０６の後端から屈曲して下方に延びる後方鉛直部１０７とからなり、起立部１０５、水平部１０６及び後方鉛直部１０７は線材である。支柱体１００に係止する開閉扉であるボード１０２は、その裏面で且つ上部には、支柱体１００と係止するボード係止部１０８が付設されている。ボード係止部１０８には、支柱体１００を挿通自在に嵌合する係止孔が形成されている。図２１は、開閉扉１０２の開状態を示し、天板１０１上のストック商品を取り出すことができる。一方、棚上開口を閉じる場合、ボード１０２を手前に引き出し、ボード１０２を起立させ、ボードの下端１０３を天板係止部１０４に係止させる。これにより、棚上（天板上）のストック商品が隠れると共に、ボード面に表示された商品情報が顧客から見える。
【先行技術文献】
【特許文献】
【０００５】
【特許文献１】特開２０００−１４０４９０公報（請求項２）
【発明の開示】
【発明が解決しようとする課題】
【０００６】
しかしながら、特開２０００−１４０４９０公報の上開き扉付き棚は、扉を開き後、固定する方法の開示がない。仮に、開いた扉を固定できないとなると、収納物の取り出しに不便である。また、扉は両側板と天板で形成された枠体に付設されたものであり、構造体が大がかりでコストアップとなる。
【０００７】
一方、図２１の支柱体１００は、簡易な構造でコスト安となる点で有利なものの、ボード１０２を開閉する際、左右一対の支柱が横方向にブレやすく、ボード係止部１０８の係止孔と線材である支柱との摩擦抵抗が大となり、扉の開閉の操作安定性が悪く、作業者の負担となっていた。
【０００８】
従って、本発明の目的は、扉であるボードの開閉に伴う操作が安定して行える棚上開口の開閉扉を支持する左右一対の支柱体を提供することにある。
【課題を解決するための手段】
【０００９】
すなわち、本発明は上記従来の課題を解決するものであって、棚上の空間の前方開口を開閉するボード状の扉を支持するものであって、下端が設置部に固定される、両側面には互いに対称形状の一対の係止溝又は係止貫通孔が形成された固定側支柱部と、後方上部には該係止溝又は係止貫通孔に遊嵌する互いに向かい合う一対の係止突起を有し、前部にはボード状の扉を係止する係止部を有する、該固定側支柱部に係止し可動する可動支持部を有する左右一対の支柱体であり、該固定側支柱部の係止溝又は係止貫通孔は、上下方向に延びる長縦部と、該長縦部の上端と連続し後方に少し延びる繋ぎ部と、該繋ぎ部の後方端と連続し上下方向に延びる短縦部を有する異形溝又は異形孔であって、該係止突起は、該長縦部の下端から該繋ぎ部を経由して該短縦部の下端まで、往復移動自在であることを特徴とする支柱体を提供するものである。
【００１０】
また、本発明は、該短縦部の下端と連続し後方に延びる短横部を更に有し、該係止突起は、該長縦部の下端から該繋ぎ部を経由して該短横部の後端まで、往復移動自在であることを特徴とする前記支柱体を提供するものである。
【００１１】
また、本発明は、該可動支持部は、上部左右側板を有し、該係止突起は、該上部左右側板の内側面に付設されることを特徴とする前記支柱体を提供するものである。
【００１２】
また、本発明は、該可動支持部は、該上部左右側板と連続する左右側板と、前側板を有する裏面が開口の中尺の角状ケースであることを特徴とする前記支柱体を提供するものである。
【００１３】
また、本発明は、該固定側支柱部の上端には、上方に延びる小突起を有することを特徴とする前記支柱体を提供するものである。
【００１４】
また、本発明は、該短横部は、後方に向けてやや下り傾斜の係止溝又は係止貫通孔であることを特徴とする前記支柱体を提供するものである。
【００１５】
また、本発明は、該繋ぎ部は、上方に突のアール状であることを特徴とする前記支柱体を提供するものである。
【００１６】
また、本発明は、該係止突起が、該短縦部の下端に係止することで、該可動支持部は、該固定側支柱部の前方に位置し、略鉛直に支持され、ボード状の扉が棚上の空間の前方開口を閉じることを特徴とする前記支柱体を提供するものである。
【００１７】
また、本発明は、該係止突起が、該長縦部の下端に係止することで、該可動支持部は、下方の棚側に垂れ下がり、ボード状の扉が棚上の空間の前方開口を開くことを特徴とする前記支柱体を提供するものである。
【００１８】
また、本発明は、該係止突起が、該短横部の後端に係止し、該可動支持部の前側板の裏面と該小突起が当接することで、該可動支持部は、略水平姿勢となり、ボード状の扉が棚上の空間の前方開口を開くことを特徴とする前記支柱体を提供するものである。
【００１９】
また、本発明は、該ボード状の扉は、商品情報が表示されたものであることを特徴とする前記支柱体を提供するものである
【発明の効果】
【００２０】
本発明によれば、扉側の可動支持部の対峙する方向に延びる一対の突起が、固定側である固定側支柱部の両面に形成された一対の係止溝又は係止貫通孔を挟むように遊嵌し、係止するため、扉であるボードを開閉する際、操作が安定する。
【図面の簡単な説明】
【００２１】
【図１】本発明の第１の実施の形態における支柱体が設置された多段陳列棚の斜視図である。
【図２】図１の支柱体の斜視図である。
【図３】図２の支柱体の側面図である。
【図４】図１の一対の支柱体の分解図である。
【図５】（Ａ）は図２の支柱体を構成する固定側支柱部の左側面図、（Ｂ）はその固定側支柱部の右側面図、（Ｃ）は（Ｂ）のＸ-Ｘ線で切断した端面図である。
【図６】図２の支柱体を構成する可動支持部の裏側から見た斜視図である。
【図７】図６の可動支持部の背面図である。
【図８】棚上開口を閉じた状態における図１の支柱体の側面図である。
【図９】図８の支柱体における固定側支柱部と可動支持部の係止状態を示す一部の簡略図である。
【図１０】棚上開口を開いた状態における図１の支柱体の側面図である。
【図１１】図１０の支柱体における固定側支柱部と可動支持部の係止状態を示す一部の簡略図である。
【図１２】棚上開口を開いた状態における図１の支柱体の全体図である。
【図１３】棚上開口を開いた他の状態における図１の支柱体の側面図である。
【図１４】（Ａ）は図１２の支柱体における固定側支柱部と可動支持部の係止状態を示す一部の簡略図であり、（Ｂ）は（Ａ）のＹ-Ｙ線に沿って見た断面図である。
【図１５】本発明の第２の実施の形態における支柱体の斜視図である。
【図１６】図１５の支柱体の分解斜視図である。
【図１７】図１５の支柱体の一部を拡大した断面図である。
【図１８】図１５の支柱体の高さ調整方法を説明する図である。
【図１９】本発明の第３の実施の形態における支柱体の一部の側面図である。
【図２０】図１９の支柱体における可動支持部の固定方法を説明する図である。
【図２１】従来の開閉扉を支持する支柱体の斜視図である。
【発明を実施するための形態】
【００２２】
本明細書において、「左右」、「上下」及び「前後」は、支柱体の設置状態で且つボード（扉）が閉じた状態における方向を言う。本発明において、棚上とは、商品を陳列する棚の上であればよく、通常は、多段陳列棚の最上棚（天板）の上を言う。この場合、棚上の空間とは、最上棚（天板）と天井間の空間を言う。量販店、薬や日常雑貨の専門店などで使用される多段陳列棚の上は、通常、補充用の商品がストックされている。本発明の支柱体は、この棚上の前方部に設置され、ボード状の扉を支持するものであり、扉を閉めることで、このストック商品を目隠しすると共に、ストック商品を取り出す際、扉を開けると共に、扉の開状態を保持するものである。なお、ボード状の扉の表面には、通常、商品情報が表示されている。
【００２３】
次に、本発明の第１の実施の形態における支柱体を図１〜図１３を参照して説明する。支柱体１０は、７段の商品陳列棚２０の最上の棚２２ｆの前方部に設置され、棚上の空間４０の前方開口を開閉するものである。なお、図１では、ボード状の扉９は透明で描かれているが、通常は、不透明のものが使用される。また、図１に不図示の天井は、支柱体１０の直上に近接している。
【００２４】
支柱体１０は、下端が最上棚２２ｆの前方端（設置部）に固定される固定側支柱部２と、固定側支柱部２に係止し可動する可動支持部３を有する樹脂製の左右一対ものである。左右一対の支柱体１０は、それぞれ同一形状、同一機能を有するため、一方の支柱体１０について説明する。
【００２５】
固定側支柱部２は、中尺状の部材の両側面に互いに対称形状の一対の係止溝２３Ａが形成されたものである。固定側支柱部２の高さは、ボード状の扉９を支持する可動支持部３が嵌るため、扉９の高さと略同じである。固定側支柱部２の下部には、設置部に固定される下方係止部２２が形成されている。下方係止部２２は、最上棚２２ｆの前方形状にバネ付勢により嵌る係止形状となっている。これにより、最上棚２２ｆの前方端に嵌め込みで固定できる。また、係止溝２３Ａが形成される本体部の上部は、係止溝２３Ａの形状に対応したアール形状となっている。
【００２６】
係止溝２３Ａは、厚みＷの角材の側面を切り欠き状に形成されたものであり、中心の区画壁２３１により、深さｗ1の溝が対称で形成されている。係止溝２３Ａは、上下方向に延びる長縦溝部（長縦部）２３と、長縦溝部２３の上端と連続し後方に少し延びる繋ぎ溝部（繋ぎ部）２５と、繋ぎ溝部２５の後方端と連続し上下方向に延びる短縦溝部（短縦部）２６と、短縦溝部２６の下端と連続し後方に延びる短横溝部（短横部）２４とからなる異形連続溝である。長縦溝部２３は、固定側支柱部２の高さの大部分を占める前方部に形成される直線状溝である。長縦溝部２３の下端は、係止溝２３Ａの一方のエンドである。長縦溝部２３の溝深さは、片方の溝において、係止突起３５が遊嵌して、移動中に脱落しない深さであり、５ｍｍ〜１０ｍｍ程度である。
【００２７】
繋ぎ溝部２５は、長縦溝部２３と短縦溝部２６を接続する溝であり、本例では上方に突のアール形状である。このアールは、係止突起３５が短縦溝部２６の下端の底壁部２４１に位置する際、その係止突起３５の軸心を中心とした円の一部であることが好ましい。また、繋ぎ溝部２５の短縦溝部２６との接続部は、長縦溝部２３との接続部より上方に位置している。繋ぎ溝部２５のこのような形状により、可動支持部３の係止突起３５が、長縦溝部２３から繋ぎ溝部２５を経由して短縦溝部２６へ、あるいは短縦溝部２６から繋ぎ溝部２５を経由して長縦溝部２３へと移動する際、円滑となる。
【００２８】
短縦溝部２６は、長縦溝部２３の後方で、且つ長縦溝部２３より上方に形成される高さが小の縦溝である。すなわち、短縦溝部２６の前方の上部は、繋ぎ溝部２５と連続し、短縦溝部２６の後方の下部は、短横溝部２４と連続する。このため、短縦溝部２６は、後方上部壁部２５１と、前方下部壁部２５２と、底壁部２４１を有する。可動支持部３の係止突起３５が、長縦溝部２３から繋ぎ溝部２５を経由して短縦溝部２６に嵌る際、短縦溝部２６の後方上部壁部２５１と前方下部壁部２５２にガイドされ、底壁部２４１に到達することになる。これにより、可動支持部３に係止されたボード状の扉９が開口を閉じた状態に保持することができる。
【００２９】
短横溝部２４は、短縦溝部２６の後方の下部と連続するものであり、後方にやや下り傾斜状に延びるものである。また、短横溝部２４の後端は、係止溝２３Ａの他方のエンドである。短横溝部２４を後方にやや下り傾斜とすることで、固定側支柱部２の上端から上方に延びる小突起２７に可動支持部３の前側板３１の裏面が当たり、固定側支柱部２を水平姿勢とすることができる。これにより、棚上の開口を開状態に保持することができる。このように、係止溝２３Ａは、両側壁と区画壁の３つの壁で形成され、長縦溝部２３の下端である終端から短横溝部２４の後方端である終端までの連続溝となっている。なお、固定側支柱部２の長縦溝部２３の後方側に位置する溝２１１は、係止溝２３Ａではない、リブ構造２１を構成する凹部である。これにより、強度を保持しつつ、重量を抑えることができる。
【００３０】
可動支持部３は、左右側板３３ａ、３３ｂと、前側板３１、天板３６及び底板３７を有する裏面が開口の中尺の角状ケースである。また、左右側板３３ａ、３３ｂと連続する上部の左右側板３４ａ、３４ｂは、奥行き寸法が大のものである。これにより、係止突起３５の設置が可能となる。可動支持部３における係止突起３５の形成位置は、係止突起３５が短縦溝部２６に係止した状態において、可動支持部３が略起立状態になると共に、固定側支柱部２の一部である前方部を覆うような位置であり、また、係止突起３５が短横溝部２４の終端に係止した状態において、可動支持部３が略水平状態になるような位置である。すなわち、係止突起３５と可動支持部３の前側板３１の裏面間は、固定側支柱部２の短縦溝部２６の底壁部２４１から小突起２７の上端までの高さと略同じの寸法を有する。これにより、ボード９付き可動支持部３は、棚上の開口を閉じた状態から、可動支持部３が、棚上の開口を開けた状態である横に寝た姿勢を取ることができる。
【００３１】
係止突起３５は可動支持部３の上部の左右側板３４ａ、３４ｂの裏面に、互いに向かい合う丸棒軸であり、軸径は、係止溝２３Ａの溝幅よりやや小であり、軸長さは、係止溝２３Ａの溝深さｗ1よりやや小である。係止突起３５は、固定側支柱部２の両側面に形成された左右対称形状の係止溝２３Ａを両側から挟むように係止する。すなわち、係止突起３５は、長縦溝部２３の下端から繋ぎ溝部２５を経由して短横溝２４の後端まで、往復移動自在である。また、可動支持部３の前側板３１の上端には上方係止片３２ａが、下端には下方係止片３２ｂがそれぞれ形成されている。上方係止片３２ａ及び下方係止片３２ｂには、ボード９が設置される。すなわち、可動支持部３の係止突起３５が短縦溝部２６の下端に係止し下方に鉛直状に垂れると、ボード９が棚上の開口を閉じ、可動支持部３の係止突起３５が長縦溝部２３の下端に係止し下方の陳列棚側に鉛直状に垂れると、ボード９が棚上の開口を開け、可動支持部３の係止突起３５が短横溝部の２４の後方端に係止し横に寝ると、ボード９は棚上の開口を開けることとなる。
【００３２】
次に、支柱体１０の使用方法について説明する。図８に示す通り、棚上の開口は、通常、ボード９により閉じられている。この場合、一対の支柱体１０の可動支持部３には、扉であるボード９が差し渡しで設置されている。すなわち、ボード９の上部左右端が上方係止片３２ａに係止し、下部左右端が下方係止片３２ｂに係止している。これにより、可動支持部３とボード９は一体となっている。固定側支柱部２は、多段陳列棚の天板２２ｆの前方端に取り付けられている。すなわち、固定側支柱部２の下方係止部２２が天板２２ｆの前方縁に係止により固定されている。これにより、固定側支柱部２は、天板２２ｆに起立状に固定される。また、図９に示すように、この状態において、可動支持部３の係止突起３５は、短縦溝部２６の下端である底壁部２４１に係止しており、可動支持部３は、この係止突起３５を中心に垂れ下り、且つ固定側支柱部２に当たることで、固定側支柱部２の一部である前方部を覆い隠している。この状態において、棚上に置かれたストック用の補充商品は、ボード９で隠されて見えない。
【００３３】
次に、棚上に置かれたストック用の補充商品を取り出すか補充する。この際、ボード９又は可動支持部３の下端を持ち、上方に回動させて、棚上の開口を開ける。可動支持部３は、係止突起３５を中心にして円滑に回転する。次に、可動支持部３が、略水平姿勢となった際、奥側に押すことで、係止突起３５は、短横溝部２４の後方の終端に係止する。この際、可動支持部３の前側板３１の裏面が、固定側支柱体２の小突起２７の上端に当たり、可動支持部３を支持するため、可動支持部３は前に倒れることなく、略水平姿勢を維持することができる。この状態において、作業者の両手は、空いており、棚上に置かれたストック用の補充商品を棚上の開口から取り出したり、補充したりすることができる。なお、短横溝部２４が、後方にやや下り傾斜になっていることで、可動支持部３を少し前方に引き出し、係止突起３５を短横溝部２４の終端より前方に位置させれば、小突起２７の上端と可動支持部３の前側板３１の裏面との距離が大きくなり、可動支持部３と小突起２７が直接、当たることなく、可動支持部３を円滑に回動させることができる。
【００３４】
棚上の開口を開ける方法としては、図１０〜図１２の棚上の開口を開ける方法以外に、図１３及び図１４のような方法を採ることができる。すなわち、図１３及び図１４において、ボード９を支持する可動支持部３の係止突起３５が、固定側支柱部２の長縦溝部２３の下端（終端）に係止して、可動支持部３は、下方の陳列棚側に垂れ下がり、棚上の空間の前方開口を開けることになる。これにより、棚上は、左右一対の固定側支柱部２、２を除いて、天井までの空間が開いた状態となり、ストック商品の取り出し、補充作業が一層、行い易くなる。また、ボード９を回転させることなく、上下操作のみで行えるため、脚立上で安全に操作ができる。また、この上下操作は、手の届く高さが低くてよいため、脚立の低い位置での操作ができ、安全である。
【００３５】
図１４（Ｂ）に示すように、可動支持部３の一対の係止突起３５は、一対の係止溝２３Ａに対して両側から挟むように、遊嵌している。このため、図８〜図１４における可動支持部３の動きは、ボード９又は可動支持部３を手で操作することで、容易に行うことができる。例えば、図１３及び図１４における係止突起３５が長縦溝部２３の下端（係止溝２３Ａの一方の終端）に係止している状態から、図１０〜図１２における係止突起３５が短横溝部２４の後方端（係止溝２３Ａの他方の終端）に係止している状態に移動させるには、ボード９又は可動支持部３を上方に持ち上げつつ移動させる。係止突起３５は、係止溝２３Ａに形状に沿って、成り行きで動く、このため、係止突起３５は、繋ぎ溝部２５から短縦溝部２６に入る。次いで、ボード９又は可動支持部３を少し落とすことで、係止突起３５は、短縦溝部２６の底壁部２４１に至る。次いで、ボード９又は可動支持部３を上方に回動させつつ、後方の押し込むことで、係止突起３５は、短横溝部２４の後方端（終端）に至る。また、図１０〜図１２における係止突起３５が短横溝部２４の後方端（係止溝２３Ａの他方の終端）に係止している状態から、図１３及び図１４における係止突起３５が長縦溝部２３の下端（係止溝２３Ａの一方の終端）に係止している状態に移動させるには、上記操作方法の逆手順の操作を行えばよい。
【００３６】
次に、本発明の第２の実施の形態における支柱体を図１５〜図１８を参照して説明する。図１５〜図１８の支柱体において、図１〜図１４の支柱体と同一構成要素には同一符号を付してその説明を省略し、異なる点について主に説明する。すなわち、図１５〜図１８の支柱体１０ａにおいて、図１〜図１４の支柱体１０と異なる点は、可動支持部である。すなわち、図１５〜図１８の可動支持部３ａは、高さの異なるボードに対応する高さ調整機能を有したものである。すなわち、可動支持部３Ａは、支持本体部３ａと支持本体部３ａに差し込み自在、上下方向に所定寸法で移動自在の高さ調整部材８を有する。
【００３７】
支持本体部３ａには、前側板３１の上部が切り欠かれた、左右側板３６４、３６４、底板３６５及び下側板３６６で囲まれた浅底の凹状部３１ａを有する。左右側板３６４の前方端には、上下方向に適宜のピッチで、内側に延びる６個の小突起３６１が形成され、小突起３６１の奥側のガイドレール３６２を形成している。なお、符号３６３は金型成型のための抜き孔である。また、底板３６５の左右方向の中央には、上下方向に適宜のピッチで、多数（本例では１０個）の係止孔３６７が形成されている。
【００３８】
高さ調整部材８は、本例では、凹状部３１ａの高さ寸法より短いものであり、支持本体部３ａの凹状部３１ａに上下方向にスライド自在に嵌るものである。高さ調整部材８は、短尺の板状体の後方両端縁に、長さ方向に延びる、支持本体部３ａのガイドレール３６２に係止する鍔部８３ａ、８３ａを有し、上端にはボード９を支持する上方係止片３２ａが形成され、下部には、薄肉の可撓性係止片８２が形成されている。可撓性係止片８２の裏面には、支持本体部３ａの凹状部３１ａに形成された係止孔３６７に係止する、小突起８２１が形成されている。高さ調整部材８は、支持本体部３ａの凹状部３１ａにスライド自在に嵌り、且つ小突起８２１と係止孔３６７との係止により固定される。また、高さ調整部材８を例えば、Ｌ2引き上げることで、ボード９の高さ（上下方向長さ）が大のものに対応でき、高さ調整部材８を例えば、Ｌ1引き下げることで、ボード９の高さが小のものに対応できる（図１７参照）。
【００３９】
次に、本発明の第３の実施の形態における支柱体を図１９及び図２０を参照して説明する。図１９及び図２０の支柱体において、図１〜図１４の支柱体と同一構成要素には同一符号を付してその説明を省略し、異なる点について主に説明する。すなわち、図１９及び図２０の支柱体１０ｂにおいて、図１〜図１４の支柱体１０と異なる点は、固定側支柱部の係止溝の形状及び可動支持部３が上方で水平状態となる可動支持部３の保持機構である。すなわち、図１９及び図２０の支柱体１０ｂの係止溝２３Ｂにおいて、図１〜図１４の係止溝２３Ａと異なる点は、係止溝２３Ａの短横溝部２４が省略されていることである。すなわち、固定側支柱部２の係止溝２３Ｂは、上下方向に延びる長縦溝部２３と、長縦溝部２３の上端と連続し後方に少し延びる繋ぎ溝部２５と、繋ぎ溝部２５の後方端と連続し上下方向に延びる短縦溝部２６からなる異形溝であって、係止突起３５は、長縦溝部２３の下端から該繋ぎ溝部２５を経由して短縦溝部２６の下端壁２４１まで、往復移動自在である。
【００４０】
また、支柱体１０ｂにおいて、可動支持部３の開口状態（水平状態）を保持する保持機構としては、可動支持部３の上部の左右側板３４ａ、３４ｂの内側面（裏面）に内側方法に突出する保持用突起３９を付設した点である。すなわち、保持用突起３９の形成位置は、係止突起３５の後方であって、可動支持部３が開口状態（水平状態）の際、短縦溝部２６の底壁２４１の下方に位置し、固定側支柱部２のリブ構造の凹状溝２４１を形成する後方壁２１２の内側面と当接するような位置である。保持用突起３９の高さは、図２０の水平状態を保持する高さがあればよい。すなわち、可動支持部３を図１９の状態から図２０の水平状態に至る際、保持用突起３９は、固定側支柱部２の後方壁２１２に当たるものの、上部の左右側板３４ａ、３４ｂが両側に撓むことで、乗り越えて固定側支柱部２の後方壁２１２の内側面に係止する。このように、支柱体１０ｂにおいても、支柱体１０と同様の作用効果を奏する。
【００４１】
本発明の支柱体は、上記実施の形態例に限定されず、種々の変形を採ることができる。係止溝２３Ａ、２３Ｂは、溝構造ではなく、左右に貫通された係止孔であってもよい。また、係止溝２３Ａ、２３Ｂは、溝底の一部が貫通した溝と貫通孔が混在したものであってもよい。このような係止孔又は部分貫通孔を有する係止溝においても、係止溝２３Ａ、２３Ｂと同様の作用効果を奏する。また、例えば、繋ぎ溝部２５は図５のアール形状に限定されず、種々の曲率を有するアールであってもよく、また、アール以外の不定形溝であってもよい。また、短横溝部２４は、後方下り傾斜に限定されず、傾斜のない横溝であってもよい。また、固定側支柱部２の上端の小突起２７はなくともよい。また、固定側支柱部２の下方係止部２２は、ねじ止めなどの固定補助具を使用する固定方法であってもよい。固定側支柱部２の長縦溝部２２３の後方に位置するリブ構造２１はなくてもよく、ここが平坦面であってもよい。可動支柱部３の左右側板３３ａ、３３ｂは省略できる。また、上部左右側板３４ａ、３４ｂは、係止突起３５が付設できるものであればよく、図６のような大きな側板形状に限定されない。
【産業上の利用可能性】
【００４２】
本発明によれば、ボード側である可動支持部の一対の突起が、固定側である固定側支柱部の両面に形成された一対の係止溝又は係止孔を挟むように遊嵌し、係止するため、ボードを開閉する際、操作が安定し、作業が楽に行える。
【符号の説明】
【００４３】
２        固定側支柱部
３        可動支持部
９        扉であるボード
１０、１０ａ、１０ｂ  支柱体
２２ｆ      最上棚
２３        長縦溝部
２３Ａ      係止溝
２４        短横溝部
２５        繋ぎ溝部
２６        短縦溝部
３４ａ、３４ｂ    上部左右側板
３５        係止突起
３９        保持用突起
【図１】
2020018616.tif 000003
【図２】
2020018616.tif 000004
【図３】
2020018616.tif 000005
【図４】
2020018616.tif 000006
【図５】
2020018616.tif 000007
【図６】
2020018616.tif 000008
【図７】
2020018616.tif 000009
【図８】
2020018616.tif 000010
【図９】
2020018616.tif 000011
【図１０】
2020018616.tif 000012
【図１１】
2020018616.tif 000013
【図１２】
2020018616.tif 000014
【図１３】
2020018616.tif 000015
【図１４】
2020018616.tif 000016
【図１５】
2020018616.tif 000017
【図１６】
2020018616.tif 000018
【図１７】
2020018616.tif 000019
【図１８】
2020018616.tif 000020
【図１９】
2020018616.tif 000021
【図２０】
2020018616.tif 000022
【図２１】
2020018616.tif 000023